(57)【要約】【課題】意図せずに電池の電力が浪費されず、コストアップのないモバイルスキャナーを提供する。【解決手段】本発明のモバイルスキャナーは、画像を読み取る撮像センサー、前記画像が描かれた原稿を前記撮像センサーの位置に搬送する原稿搬送部、動作電源としての電池、および制御部を内蔵する本体と、前記本体を覆う筐体と、前記原稿を前記原稿搬送部に案内する原稿挿入口と、を備え、前記筐体は、前記原稿挿入口が配置されて前記本体側に窪む凹部を有し、前記凹部に電源スイッチが備えられる。【選択図】図１Ａ
2019125959.tif 000002
【特許請求の範囲】
【請求項１】
画像を読み取る撮像センサー、前記画像が描かれた原稿を前記撮像センサーの位置に搬送する原稿搬送部、動作電源としての電池、および制御部を内蔵する本体と、
前記本体を覆う筐体と、
前記原稿を前記原稿搬送部に案内する原稿挿入口と、を備え、
前記筐体は、前記原稿挿入口が配置されて前記本体側に窪む凹部を有し、
前記凹部に電源スイッチが備えられることを特徴とするモバイルスキャナー。
【請求項２】
請求項１において、
前記電源スイッチは、スライド式スイッチであることを特徴とするモバイルスキャナー。
【請求項３】
請求項１または２において、
前記筐体は、識別子としてのプレートを着脱可能に保持するプレート装着部を備えることを特徴とするモバイルスキャナー。
【請求項４】
請求項１または２において、
前記筐体は、ＵＳＢ機器を着脱可能に保持するＵＳＢ装着部を備え、
前記ＵＳＢ装着部は、前記制御部と電気的に接続されるコネクター部を有することを特徴とするモバイルスキャナー。
【請求項５】
請求項１から４のいずれか一項に記載のモバイルスキャナーを保持するモバイルスキャナースタンドであって、
略直方体の外形を有する前記モバイルスキャナーを、前記外形の少なくとも一部を囲んで保持する台座部を備え、
前記台座部は、
台座部底面を水平な面に載置した時、前記略直方体の長辺が鉛直方向に沿う姿勢で前記モバイルスキャナーを保持し、
前記モバイルスキャナーを保持した時に前記モバイルスキャナーの原稿挿入口と対向する位置に挿入側切欠き部を有し、原稿排出口と対向する位置に排出側切欠き部を有することを特徴とするモバイルスキャナースタンド。
【請求項６】
請求項５において、
前記モバイルスキャナーを保持した時、前記モバイルスキャナーの動作電源としての電池を充電する充電部を有することを特徴とするモバイルスキャナースタンド。
【発明の詳細な説明】
【技術分野】
【０００１】
本発明は、モバイルスキャナーおよびモバイルスキャナースタンドに関する。
【背景技術】
【０００２】
従来、画像を読み取る撮像センサー、画像が描かれた原稿を撮像センサーの位置まで搬送する原稿搬送装置、および動作電源としての電池を内蔵する携帯型のモバイルスキャナーがあった（例えば、特許文献１）。特許文献１に記載のモバイルスキャナーは、画像が印刷された紙などの原稿をユーザーが原稿挿入口に手差しすると、原稿搬送装置が原稿を搬送して撮像センサーで画像を読み取るシートフィードタイプのモバイルスキャナーである。モバイルスキャナーは、読み取られる原稿が搬送されて移動するため、本体のサイズを小さくでき携帯性に優れていることが特徴である。
【先行技術文献】
【特許文献】
【０００３】
【特許文献１】特開２０１５−２１１４５０号公報
【発明の概要】
【発明が解決しようとする課題】
【０００４】
ところで、モバイルスキャナーの電源をＯＮ／ＯＦＦする電源スイッチは、モバイルスキャナーの筐体外面に設置されていた。あるいは、特許文献１に記載のモバイルスキャナーのように、原稿挿入口を覆うカバー部の開閉により電源がＯＮ／ＯＦＦされていた。また、前述のように、モバイルスキャナーは、携帯性に優れているが故に鞄などに入れられて持ち運ばれる場合があった。
そのため、鞄などに入れられている間に、例えば鞄内の他の物品と接触するなどして、電源スイッチがＯＮになったりカバー部が動かされて電源がＯＮになったりする恐れがあった。このようにして電源がＯＮされると、意図せずに電池に蓄積された電力が浪費されてしまい、ユーザーがモバイルスキャナーを使用したい時にすでに電池切れで使用できないという課題があった。また、特許文献１のモバイルスキャナーは、原稿挿入口を覆う可動式のカバー部を備えるため、コストアップするという課題があった。
【課題を解決するための手段】
【０００５】
本発明は、上述の課題の少なくとも一部を解決するためになされたものであり、以下の形態または適用例として実現することが可能である。
【０００６】
（適用例１）
本適用例に係るモバイルスキャナーは、画像を読み取る撮像センサー、前記画像が描かれた原稿を前記撮像センサーの位置に搬送する原稿搬送部、動作電源としての電池、および制御部を内蔵する本体と、前記本体を覆う筐体と、前記原稿を前記原稿搬送部に案内する原稿挿入口と、を備え、前記筐体は、前記原稿挿入口が配置されて前記本体側に窪む凹部を有し、前記凹部に電源スイッチが備えられることを特徴とする。
【０００７】
この構成によれば、モバイルスキャナーは、筐体に、画像が読み取られる原稿を原稿搬送部に案内する原稿挿入口が配置されて本体側に窪む凹部を有し、凹部に電源スイッチが備えられる。電源スイッチが筐体の窪んだ部分（凹部）に配置されるため、例えば鞄内の他の物品などが容易に接触しない。そのため、意図せずに電源スイッチがＯＮされて電池の電力が浪費される可能性が低減される。さらに、電源をＯＮ／ＯＦＦするためのカバー部を備える必要がないため、コストアップもない。
【０００８】
（適用例２）
上記適用例において、前記電源スイッチは、スライド式スイッチであることが好ましい。
【０００９】
この構成によれば、モバイルスキャナーの筐体の凹部に備えられる電源スイッチは、スライド式スイッチである。スライド式スイッチは、スライド部に力を加えた上にスライドしなければスイッチがＯＮとならない。そのため、仮に鞄内の他の物品などが電源スイッチに接触しても、電源スイッチがＯＮされて電池の電力が浪費される可能性が軽減される。
【００１０】
（適用例３）
上記適用例において、前記筐体は、識別子としてのプレートを着脱可能に保持するプレート装着部を備えることが好ましい。
【００１１】
この構成によれば、モバイルスキャナーの筐体は、プレート装着部を備え、識別子としてのプレートを着脱可能に保持できる。そのため、個体ごとに異なるプレートがプレート装着部に装着されることで、個々のモバイルスキャナーを容易に識別可能となる。
【００１２】
（適用例４）
上記適用例において、前記筐体は、ＵＳＢ機器を着脱可能に保持するＵＳＢ装着部を備え、前記ＵＳＢ装着部は、前記制御部と電気的に接続されるコネクター部を有することが好ましい。
【００１３】
この構成によれば、モバイルスキャナーの筐体は、制御部と電気的に接続されるコネクター部を有するＵＳＢ装着部を備え、ＵＳＢ機器を着脱可能に保持できる。そのため、モバイルスキャナーに機能の拡張性を持たせることができる。
【００１４】
（適用例５）
本適用例に係るモバイルスキャナースタンドは、上記適用例のいずれかに記載のモバイルスキャナーを保持するモバイルスキャナースタンドであって、略直方体の外形を有する前記モバイルスキャナーを、前記外形の少なくとも一部を囲んで保持する台座部を備え、前記台座部は、台座部底面を水平な面に載置した時、前記略直方体の長辺が鉛直方向に沿う姿勢で前記モバイルスキャナーを保持し、前記モバイルスキャナーを保持した時に前記モバイルスキャナーの原稿挿入口と対向する位置に挿入側切欠き部を有し、原稿排出口と対向する位置に排出側切欠き部を有することを特徴とする。
【００１５】
この構成によれば、モバイルスキャナースタンドは、モバイルスキャナーの長辺が鉛直方向に沿う姿勢でモバイルスキャナーを保持する。さらに、モバイルスキャナースタンドの台座部は、モバイルスキャナーを保持した時に原稿挿入口と対向する位置に挿入側切欠き部を有し、原稿排出口と対向する位置に排出側切欠き部を有する。そのため、モバイルスキャナースタンドは、モバイルスキャナーを立てて（長辺が鉛直方向に沿う姿勢で）保持できる。その結果、モバイルスキャナーを平面的に省スペースで保管できる。また、モバイルスキャナーを立てて保持した時、挿入側切欠き部から原稿挿入口に原稿を挿入でき、排出側切欠き部を介して原稿排出口から原稿を排出できるため、ユーザーは、モバイルスキャナーを立てた状態で使用できる。
【００１６】
上記適用例において、モバイルスキャナースタンドは、前記モバイルスキャナーを保持した時、前記モバイルスキャナーの動作電源としての電池を充電する充電部を有することが好ましい。
【００１７】
この構成によれば、モバイルスキャナーがモバイルスキャナースタンドに保持された時、モバイルスキャナーの動作電源としての電池が充電されるので、利便性が向上する。
【図面の簡単な説明】
【００１８】
【図１Ａ】モバイルスキャナーの正面、上面、および左側面からの斜視図。
【図１Ｂ】モバイルスキャナーの底面、背面、および右側面からの斜視図。
【図２Ａ】モバイルスキャナーの平面図（上面図）。
【図２Ｂ】モバイルスキャナーの正面図。
【図２Ｃ】モバイルスキャナーの底面図。
【図２Ｄ】モバイルスキャナーの背面図。
【図２Ｅ】モバイルスキャナーの左側面図。
【図２Ｆ】モバイルスキャナーの右側面図。
【図３Ａ】プレート装着部を説明する斜視図。
【図３Ｂ】プレート装着部を説明する他の斜視図。
【図４Ａ】ＵＳＢ装着部を説明する斜視図。
【図４Ｂ】ＵＳＢ装着部を説明する他の斜視図。
【図５Ａ】モバイルスキャナースタンドを説明する斜視図。
【図５Ｂ】モバイルスキャナースタンドを説明する他の斜視図。
【図６Ａ】カバー（オープン時）を説明する斜視図。
【図６Ｂ】カバー（オープン時）を説明する他の斜視図。
【図６Ｃ】カバー（クローズ時）を説明する斜視図。
【図６Ｄ】カバー（クローズ時）を説明する他の斜視図。
【図７Ａ】ストラップを説明する斜視図。
【図７Ｂ】ストラップを説明する他の斜視図。
【発明を実施するための形態】
【００１９】
（実施形態）
以下、本発明の実施形態について図面を参照して説明する。
説明の便宜上、図中に、互いに直交する三軸として、Ｘ軸、Ｙ軸及びＺ軸を図示する。各軸の方向を示す矢印の先端側を「＋側」、基端側を「−側」といい、Ｘ軸に平行な方向を「Ｘ軸方向」、Ｙ軸に平行な方向を「Ｙ軸方向」、Ｚ軸に平行な方向を「Ｚ軸方向」という。本実施形態においては、上下方向をＺ軸とし＋Ｚ側を「上」、−Ｚ側を「下」とする。Ｚ軸方向と交差するモバイルスキャナー１の長手方向をＸ軸とし＋Ｘ側を「右」、−Ｘ側を「左」とする。また、Ｚ軸方向及びＸ軸方向の双方と交差する方向をＹ軸とし＋Ｙ側を「前」、−Ｙ側を「後」とする。
また、Ｘ軸とＹ軸とによって規定される平面（ＸＹ平面）でモバイルスキャナー１の上側の面を「上面」と称し、下側の面を「底面」と称する。また、Ｘ軸とＺ軸とによって規定される平面（ＸＺ平面）でモバイルスキャナー１の前側の面を「正面」と称し、後側の面を「背面」と称する。また、Ｙ軸とＺ軸とによって規定される平面（ＹＺ平面）でモバイルスキャナー１の右側の面を「右側面」と称し、左側の面を「左側面」と称する。
なお、以下の説明で参照する図面では、説明および図示の便宜上、部材ないし部分の縦横の縮尺を実際のものとは異なるように表す場合がある。さらに、説明に必要な構成要素以外は、図示を省略する場合がある。
【００２０】
（モバイルスキャナーの外観）
まず、モバイルスキャナー１の外観と外観から確認できる機能部について図面を参照して説明する。
図１Ａは、本発明に係るモバイルスキャナー１の正面、上面、および左側面からの斜視図である。図１Ｂは、本発明に係るモバイルスキャナー１の底面、背面、および右側面からの斜視図である。
また、図２Ａはモバイルスキャナー１の平面図（上面図）、図２Ｂはモバイルスキャナー１の正面図、図２Ｃはモバイルスキャナー１の底面図、図２Ｄはモバイルスキャナー１の背面図、図２Ｅはモバイルスキャナー１の左側面図、図２Ｆはモバイルスキャナー１の右側面図である。
モバイルスキャナー１の本体を覆う筐体１０は、稜部（角）が丸面で面取りされている。図１Ａ〜図２Ｆでは、筐体１０の形状が分かり易いように、面取り部の丸面と平面との境目が補助線（細線）で示されている。
【００２１】
図１Ａに示すように、モバイルスキャナー１は、略長方形の外形の筐体１０を有する。モバイルスキャナー１は、前述のように筐体１０の稜部が丸面で面取りされているため、ユーザーがモバイルスキャナー１を掴みやすくなると共に、角が取れて全体として柔らかい印象の外観をユーザーに与えることができる。
【００２２】
筐体１０は、上面に操作スイッチ３１と表示パネル３２と（機能部の一例）を備える。操作スイッチ３１は、例えば、タッチスイッチあるいはストロークスイッチなどであり、画像が描かれた原稿の読み取りを開始させるスイッチなどに使用される。表示パネル３２は、例えば、ＬＣＤ（Liquid Crystal Display）あるいは有機ＥＬ（Electro Luminescence）表示体などであり、モバイルスキャナー１の動作状態および読み取り条件などを表示する。
【００２３】
筐体１０は、上面と表面とが成す稜部に、モバイルスキャナー１の本体側（内部）に向かって窪む凹部２０（機能部の一例）が設けられる。
凹部２０にはスリットが設けられ、スリットは、読み取られる原稿を原稿搬送部へ取り込む原稿挿入口２１となる。さらに、原稿挿入口２１の上の凹部２０内には、電源スイッチ２３（機能部の一例）が設けられる。電源スイッチ２３はスライド式スイッチであり、ユーザーは、電源スイッチ２３のスライド部を指などで押圧しながらスライドさせて電源をＯＮする。
また、凹部２０の下部（−Ｚ側）は、原稿挿入口２１に続く原稿案内面２２（機能部の一例）となる。そのため、原稿案内面２２に原稿が載置されることで、原稿が原稿挿入口２１に確実に案内される。また、例えばシリコンやフッ素樹脂などの帯電材料を原稿案内面２２に敷設すれば、発生する静電気によって原稿が原稿案内面２２に吸着されるので、より確実に原稿が原稿挿入口２１に案内される。
【００２４】
図１Ｂに示すように、筐体１０の底面は、凹凸の無い滑らかな平面である。そのため、モバイルスキャナー１が動作する時、底面を下にしてモバイルスキャナー１が机上などの表面が平らな場所に載置されることで、モバイルスキャナー１の姿勢が安定し、その動作が安定する。
背面の筐体１０には、スリットが設けられ、スリットは、読み取られた原稿を外部へ排出する原稿排出口２５となる。
【００２５】
図２Ａ〜図２Ｆには、モバイルスキャナー１の平面図、正面図、底面図、背面図、左側面図、右側面図を示す。
【００２６】
（モバイルスキャナーの構成）
次に、画像読み取り機能を実現するモバイルスキャナー１の構成について説明する。
筐体１０の内部には、モバイルスキャナー１の本体（不図示）があり、本体には、図示しない、撮像センサー、原稿搬送部、電池、および制御部が内蔵される。
制御部は、モバイルスキャナー１の機能部（操作スイッチ３１、表示パネル３２、撮像センサー、原稿搬送部など）を制御して、モバイルスキャナー１を動作させる。
撮像センサーは、例えばＣＣＤ（Charge Coupled Device）やＣＩＳ（Contact Image Sensor）であり、制御部に制御されて原稿に描かれた画像を読み取る。
原稿搬送部は、モーター、モーターによって動作される回転ローラー対、および搬送路を備え、制御部に制御されて、原稿挿入口２１から挿入された原稿を、回転ローラー対でニップして搬送路の上を撮像センサーの位置まで搬送する。さらに、画像が読み取られた原稿を原稿排出口２５へ搬送して外部へ排出する。
電池は、例えば、アルカリ乾電池のような一次電池やリチウムイオン電池などの二次電池であり、モバイルスキャナー１の機能部（制御部も含む）に動作用の電力を与える動作電源である。モバイルスキャナー１の本体は電池収納領域を備え、一次電池が使用される場合は、筐体１０に電池交換時に開閉される蓋部が設けられる。二次電池が使用される場合は、後述するモバイルスキャナー１のコネクター部などを介して二次電池が充電される。
【００２７】
（作用効果）
以上説明したように、モバイルスキャナー１は、本体を覆う筐体１０に凹部２０を設け、凹部２０に電源スイッチ２３が配置される。凹部２０は、周囲の筐体１０の面から窪んだ位置にあるため、電源スイッチ２３に他の物品などが接触しにくい。そのため、意図せずに電源スイッチ２３がＯＮされて電池の電力が浪費される可能性が軽減される。
さらに、電源スイッチ２３はスライド式スイッチであるため、スライド部を押圧しながらスライドさせないと電源スイッチ２３がＯＮしない。その結果、他の物品などが接触しても電源スイッチ２３が容易にＯＮすることがない。
以上の構成によって、意図せずにモバイルスキャナー１の電源スイッチ２３がＯＮされて電池の電力が浪費されてしまう可能性が軽減される。
【００２８】
（プレート装着部）
次に、プレート装着部４０について、図面を参照して説明する。
図３Ａは、プレート装着部４０を説明する斜視図であり、モバイルスキャナー１を正面、上面、および左側面から見た図である。図３Ｂは、プレート装着部４０を説明する他の斜視図であり、モバイルスキャナー１を底面、背面、および右側面から見た図である。
【００２９】
図３Ａおよび図３Ｂに示すように、筐体１０の上面には、プレート装着部４０が設けられる。プレート装着部４０は、プレート５０を着脱可能にモバイルスキャナー１に保持する。したがって、モバイルスキャナー１は、様々な形態のプレート５０が装着可能である。また、プレート装着部４０には、操作スイッチ４１が設けられる。操作スイッチ４１はストロークスイッチであり、その機能は、図１Ａで説明した操作スイッチ３１と同等である。
【００３０】
プレート５０は、モバイルスキャナー１に装着された時に上側となる表面に固有の模様５１（図３Ａでは、市松模様）と操作スイッチキャップ５３とを備える。操作スイッチキャップ５３は、所定の距離を往復移動する部材である。プレート５０がプレート装着部４０に装着された時、操作スイッチキャップ５３は操作スイッチ４１に対向する。その状態で操作スイッチキャップ５３が押下されると、操作スイッチキャップ５３は、移動して操作スイッチ４１を押圧しＯＮさせる。
【００３１】
（作用効果）
以上説明したように、プレート５０は表面に固有の模様５１を持つため、プレート５０がモバイルスキャナー１に装着されると、モバイルスキャナー１を識別する識別子として機能する。そのため、複数台が同じ場所で使用される場合、個々のモバイルスキャナー１を識別することが容易になる。
さらに、プレート５０は、操作スイッチキャップ５３を備え、モバイルスキャナー１の操作スイッチ４１を押圧してＯＮさせることができるため、プレート５０がモバイルスキャナー１に装着されても操作性は低下しない。
【００３２】
（ＵＳＢ装着部）
次に、ＵＳＢ装着部４５について、図面を参照して説明する。
図４Ａは、ＵＳＢ装着部４５を説明する斜視図であり、モバイルスキャナー１を正面、上面、および左側面から見た図である。図４Ｂは、ＵＳＢ装着部４５を説明する他の斜視図であり、モバイルスキャナー１を底面、背面、および右側面から見た図である。
【００３３】
図４Ａおよび図４Ｂに示すように、筐体１０の上面には、ＵＳＢ装着部４５が設けられる。ＵＳＢ装着部４５は、ＵＳＢ機器６０を着脱可能にモバイルスキャナー１に保持する。したがって、モバイルスキャナー１は、様々な種類のＵＳＢ機器６０が装着可能である。
【００３４】
図４Ａおよび図４Ｂに示す例では、ＵＳＢ機器６０は、ＵＳＢコネクター６１、操作スイッチ６３、および表示パネル６５を備える。ＵＳＢコネクター６１は、モバイルスキャナー１のコネクター部と係合して、ＵＳＢ機器６０とモバイルスキャナー１の制御部とを電気的に接続する。操作スイッチ６３の構成および機能は、図１Ａで説明した操作スイッチ３１と同等であり、操作スイッチ６３がＯＮされると、その信号は、ＵＳＢコネクター６１を介して制御部に送信される。表示パネル６５の構成および機能は、図１Ａで説明した表示パネル３２と同等であり、表示されるデータは、ＵＳＢコネクター６１を介して制御部から送信される。
さらに、ＵＳＢ機器６０は、メモリーを内蔵してモバイルスキャナー１が読み取った画像データを記憶する。また、通信機能を備えてモバイルスキャナー１が読み取った画像データを外部へ送信してもよい。
【００３５】
（作用効果）
以上説明したように、モバイルスキャナー１の筐体１０は、制御部と電気的に接続されるＵＳＢコネクター６１を有するＵＳＢ装着部４５を備え、ＵＳＢ機器６０を着脱可能に保持できる。そのため、モバイルスキャナー１に拡張性を持たせることができる。
【００３６】
（モバイルスキャナースタンド）
次に、モバイルスキャナースタンド７０について、図面を参照して説明する。
図５Ａは、モバイルスキャナースタンド７０を説明する斜視図であり、モバイルスキャナースタンド７０にモバイルスキャナー１が立てられた状態を、モバイルスキャナー１の上面、背面、および右側面から見た図である。図５Ｂは、モバイルスキャナースタンド７０を説明する他の斜視図であり、モバイルスキャナースタンド７０にモバイルスキャナー１が立てられた状態をモバイルスキャナー１の正面、底面、および左側面（モバイルスキャナースタンド７０の底面）から見た図である。
【００３７】
図５Ａおよび図５Ｂに示すように、モバイルスキャナースタンド７０は、略直方体の外形を有するモバイルスキャナー１を、その外形の少なくとも一部を囲んで保持する台座部７１を備える。台座部７１は、台座部底面７５を水平な面に載置した時、略直方体の長辺が鉛直方向に沿う姿勢（つまり、モバイルスキャナー１が立てられた姿勢）でモバイルスキャナー１を保持する。
台座部７１は、上記の姿勢でモバイルスキャナー１を保持した時にモバイルスキャナー１の原稿挿入口２１と対向する位置に、挿入側切欠き部７２を有する。また、台座部７１は、上記の姿勢でモバイルスキャナー１を保持した時にモバイルスキャナー１の原稿排出口２５と対向する位置に、排出側切欠き部７３を有する。
また、図示しないが、台座部７１は、充電部を有し、モバイルスキャナー１を保持した時、モバイルスキャナー１の動作電源としての電池を充電する。
【００３８】
（作用効果）
以上説明したように、モバイルスキャナースタンド７０は、モバイルスキャナー１が立てられた姿勢でモバイルスキャナー１を保持する。そのため、略直方体の外形を有するモバイルスキャナー１は、モバイルスキャナースタンド７０に立てられると、面積が最小な面を下にして保管可能なため、保管時に平面的に省スペース化が図れる。
また、モバイルスキャナースタンド７０の台座部７１は、原稿挿入口２１と対向する位置に挿入側切欠き部７２を有し、原稿排出口２５と対向する位置に排出側切欠き部７３を有する。そのため、モバイルスキャナー１は、モバイルスキャナースタンド７０に立てられた姿勢（保持された状態）で原稿の読み取りが可能となる。
さらに、台座部７１は、不図示の充電部を有し、モバイルスキャナー１を保持した時モバイルスキャナー１の電池を充電するため、利便性が向上する。
【００３９】
（変形例）
以上、本発明の実施形態を説明したが、本発明の主旨を逸脱しない範囲において、例えば下記のように、さまざまな変形が可能である。
【００４０】
（変形例１）
モバイルスキャナー１は、カバー８０を備えてもよい。
図６Ａ〜図６Ｄは、カバー８０を説明する斜視図である。
図６Ａおよび図６Ｂは、カバー８０がオープンされた時の状態を示す。図６Ａは、モバイルスキャナー１およびオープン状態のカバー８０を正面、上面、および右側面から見た図であり、図６Ｂは、正面、底面、および右側面から見た図である。
図６Ｃおよび図６Ｄは、カバー８０がクローズされた時の状態を示す。
図６Ｃは、モバイルスキャナー１およびクローズ状態のカバー８０を正面、上面、および右側面から見た図であり、図６Ｄは、正面、底面、および右側面から見た図である。
【００４１】
図６Ａおよび図６Ｂに示すように、カバー８０は、第１カバー部８１、第２カバー部８３、第３カバー部８５、および蝶番部８７を備える。第１カバー部８１は、モバイルスキャナー１の正面下部に固定される。第２カバー部８３は、オープン状態で、原稿案内面２２に続く平面を構成する。第３カバー部８５は、蝶番部８７によって第２カバー部８３に回動可能に接続され、モバイルスキャナー１が底面を下にして机上面などに載置された時、第２カバー部８３が形成する平面を机上面で支える支持部となる。
【００４２】
図６Ｃおよび図６Ｄに示すように、カバー８０は、モバイルスキャナー１を包み込むことができる（クローズ状態）。具体的には、第２カバー部８３は、上方向に持ち上げられると、モバイルスキャナー１を包み込むように変形してモバイルスキャナー１に巻きつく。つまり、第２カバー部８３は、一方向（上方向）には変形し、逆方向（下方向）には変形しない構造、あるいは素材である。第２カバー部８３がモバイルスキャナー１に巻きついた時、第３カバー部８５は、蝶番部８７にて回動しモバイルスキャナー１に巻きつく。
【００４３】
以上説明したように、カバー８０は、オープン状態で原稿案内面２２に続く平面を構成するため、原稿を原稿挿入口２１に確実に案内することができる。また、カバー８０は、クローズ状態でモバイルスキャナー１を包み込むため、モバイルスキャナー１を保護することができる。
【００４４】
（変形例２）
さらに、モバイルスキャナー１は、ストラップ９０を備えてもよい。
図７Ａおよび図７Ｂは、ストラップ９０を説明する斜視図である。
図７Ａは、モバイルスキャナー１およびストラップ９０を正面、上面、および右側面から見た図であり、図７Ｂは、底面、背面、および左側面から見た図である。
【００４５】
図７Ａおよび図７Ｂに示すように、ストラップ９０は、モバイルスキャナー１の右側面に取り付けられる。
【００４６】
以上説明したように、ストラップ９０がモバイルスキャナー１に取り付けられるため、ユーザーはストラップ９０を使用してモバイルスキャナー１を持ち運びできるため、携帯性が向上する。また、ユーザーが、モバイルスキャナー１をモバイルスキャナースタンド７０に載置する時、ストラップ９０を持つことで、右側面を上にした状態（モバイルスキャナー１が立てられた姿勢：図５Ａ，５Ｂ参照）でモバイルスキャナー１をモバイルスキャナースタンド７０に容易に載置できる。
【００４７】
（変形例３）
モバイルスキャナー１とモバイルスキャナースタンド７０とが電気的に接続されて、モバイルスキャナースタンド７０がモバイルスキャナー１用のクレードルとされてもよい。この場合、モバイルスキャナースタンド７０は、モバイルスキャナー１から原稿読み取りデータを吸い上げて外部機器に転送し、モバイルスキャナー１の二次電池を充電する機能を備える。
【００４８】
以上、本発明の実施形態と変形例について説明したが、本発明は、前述の実施形態や変形例に限られるものではなく、その主旨を逸脱しない範囲において種々の構成で実現することができる。例えば、実施形態や変形例中の技術的特徴は、前述の課題の一部又は全部を解決するために、あるいは、前述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００４９】
１…モバイルスキャナー、１０…筐体、２０…凹部、２１…原稿挿入口、２２…原稿案内面、２３…電源スイッチ、２５…原稿排出口、３１…操作スイッチ、３２…表示パネル、４０…プレート装着部、４１…操作スイッチ、４５…ＵＳＢ装着部、５０…プレート、５１…模様、５３…操作スイッチキャップ、６０…ＵＳＢ機器、６１…ＵＳＢコネクター、６３…操作スイッチ、６５…表示パネル、７０…モバイルスキャナースタンド、７１…台座部、７２…挿入側切欠き部、７３…排出側切欠き部、７５…台座部底面、８０…カバー、８１…第１カバー部、８３…第２カバー部、８５…第３カバー部、８７…蝶番部、９０…ストラップ。
【図１Ａ】
2019125959.tif 000003
【図１Ｂ】
2019125959.tif 000004
【図２Ａ】
2019125959.tif 000005
【図２Ｂ】
2019125959.tif 000006
【図２Ｃ】
2019125959.tif 000007
【図２Ｄ】
2019125959.tif 000008
【図２Ｅ】
2019125959.tif 000009
【図２Ｆ】
2019125959.tif 000010
【図３Ａ】
2019125959.tif 000011
【図３Ｂ】
2019125959.tif 000012
【図４Ａ】
2019125959.tif 000013
【図４Ｂ】
2019125959.tif 000014
【図５Ａ】
2019125959.tif 000015
【図５Ｂ】
2019125959.tif 000016
【図６Ａ】
2019125959.tif 000017
【図６Ｂ】
2019125959.tif 000018
【図６Ｃ】
2019125959.tif 000019
【図６Ｄ】
2019125959.tif 000020
【図７Ａ】
2019125959.tif 000021
【図７Ｂ】
2019125959.tif 000022